(57)【要約】【課題】施工性を向上できる照明装置を提供する。【解決手段】照明装置10は、灯具15、電源部16、連結軸部31および回動範囲規制部33を備える。灯具15は、光源部を有する。電源部16は、光源部に電源を供給する。連結軸部31は、灯具15に対して電源部16の一端側を回動可能に連結する。回動範囲規制部33は、電源部16の上面が光源部よりも上方であり、電源部16の下面が灯具15の上面よりも下方に位置するように灯具15に対する電源部16の回動範囲を規制する。【選択図】図４
2020113401.tif 000002
【特許請求の範囲】
【請求項１】
光源部を有する灯具と；
前記光源部に電源を供給する電源部と；
前記灯具に対して前記電源部の一端側を回動可能に連結する連結軸部と；
前記電源部の上面が前記光源部よりも上方であり、前記電源部の下面が前記灯具の上面よりも下方に位置するように前記灯具に対する前記電源部の回動範囲を規制する回動範囲規制部と；
を具備することを特徴とする照明装置。
【請求項２】
前記灯具の軸方向の一端側に取り付けられ、前記灯具の側方に展開するとともに前記灯具に沿って折畳可能とする一対の取付ばねを具備し、
前記連結軸部と一対の前記取付ばねとは、前記灯具の軸方向に並んで配置され、
前記連結軸部は、前記灯具に沿って折り畳まれる前記取付ばねの先端側よりも前記灯具の軸方向の他端側に配置されている
ことを特徴とする請求項１記載の照明装置。
【請求項３】
前記連結軸部は、前記灯具の中心軸に略直交するように位置する
ことを特徴とする請求項１または２に記載の照明装置。
【請求項４】
前記灯具は、前方の開口を塞ぐカバー面を有し、
前記電源部は、前記灯具に対する前記電源部の回動範囲において、前記カバー面よりも上方側に位置し、かつ前記カバー面の上端側の縁部よりも前方側に位置する重なり部を有する天板部を備える
ことを特徴とする請求項１ないし３いずれか一記載の照明装置。
【発明の詳細な説明】
【技術分野】
【０００１】
本発明の実施形態は、照明装置に関する。
【背景技術】
【０００２】
従来、天井などに埋め込み設置される照明装置は、灯具、およびこの灯具の側部に突出するように連結された電源部を備えている。このような照明装置では、天井裏の高さが少ない場合でも設置できるように、灯具に対して電源部の一端側が回動可能に連結された構成がある。
【０００３】
しかし、灯具に対して電源部の一端側が回動可能に連結された構成では、電源部が灯具に対して施工時に必要な回動範囲以上に大きく回動可能となっているため、施工時において、灯具または電源部を持って照明装置を取り扱う際、持ってない電源部または灯具が不用意に大きく回動したためにその勢いで照明装置を落してしまったり、また、天井などの埋込孔に埋め込み設置する際に灯具と電源部とが大きく振れて操作しにくいなど、施工性が損なわれる問題がある。
【先行技術文献】
【特許文献】
【０００４】
【特許文献１】特開２０１６−４６３６号公報
【発明の概要】
【発明が解決しようとする課題】
【０００５】
本発明は、施工性を向上できる照明装置を提供することである。
【課題を解決するための手段】
【０００６】
実施形態の照明装置は、灯具、電源部、連結軸部および回動範囲規制部を備える。灯具は、光源部を有する。電源部は、光源部に電源を供給する。連結軸部は、灯具に対して電源部の一端側を回動可能に連結する。回動範囲規制部は、電源部の上面が光源部よりも上方であり、電源部の下面が灯具の上面よりも下方に位置するように灯具に対する電源部の回動範囲を規制する。
【発明の効果】
【０００７】
実施形態の照明装置によれば、施工性の向上が期待できる。
【図面の簡単な説明】
【０００８】
【図１】一実施形態を示す照明装置の斜視図である。
【図２】同上照明装置の分解斜視図である。
【図３】同上照明装置の断面図である。
【図４】同上照明装置の電源部の上方への回動範囲を規制した側面図である。
【図５】同上照明装置の電源部の下方への回動範囲を規制した側面図である。
【図６】同上照明装置の取付ばねを折り畳んだ正面図である。
【図７】同上照明装置の設置状態の側面図である。
【発明を実施するための形態】
【０００９】
以下、一実施形態を、図面を参照して説明する。
【００１０】
図７に示すように、照明装置10は、被設置部である天井板11に設けられた所定の内径寸法の埋込孔12に埋め込み設置される埋込形照明装置である。さらに、照明装置10は、外部に設置される予備電源装置と電線によって接続され、例えば停電時等に予備電源装置から外部電源（予備電源または非常電源）の供給を受けて点灯する非常用照明装置である。予備電源装置は、バッテリや自家発電装置等であり、複数の非常用照明装置に外部電源を供給可能とする。
【００１１】
図１ないし図３に示すように、照明装置10は、灯具15、この灯具15に回動可能に連結された電源部16を備えている。電源部16は、灯具15から側方の配置方向に突出するように配置されている。電源部16の質量は、灯具15の質量よりも大きい関係にある。そして、本実施形態では、灯具15は仮想の中心軸17を有しており、以下、灯具15の中心軸17の一端側である天井板11に対して反対方向を照明装置10の下側、灯具15の中心軸17の他端側である天井板11の方向を照明装置10の上側として説明する。さらに、灯具15から電源部16が突出する方向に対して反対側を灯具15の前方、灯具15から電源部16が突出する方向を灯具15の後方として説明する。
【００１２】
そして、灯具15は、本体部20、この本体部20の下面側に配置される光源ユニット21、本体部20の下面側を覆う化粧枠22、および一対の取付ばね23等を有している。さらに、本体部20は、放熱板24、および本体カバー25，26を備えている。
【００１３】
本体部20の放熱板24は、金属板によって一体に形成されている。放熱板24は、光源取付部27、この光源取付部27の両側から上方へ向けて折曲された第１の側板部28および第２の側板部29を有している。したがって、放熱板24は、光源取付部27と第１の側板部28と第２の側板部29とによって断面略コ字形に形成されている。
【００１４】
放熱板24の両側の側板部28，29の先端側である上端側には取付孔30がそれぞれ設けられている。各取付孔30には、灯具15に対して電源部16を回動可能に連結する連結軸部31が取り付けられる。連結軸部31は、例えばねじであり、取付孔30に螺着して取り付けられる。そして、連結軸部31は、灯具15の中心軸17に略直交するように位置する。すなわち、２つの連結軸部31が結ぶ線が灯具15の中心軸17に略直交している。この略直交とは、本実施形態では、連結軸部31の軸方向から見て（図４の側面から見て）、電源部16の回動中心である連結軸部31の中心（取付孔30の中心）が灯具15の中心軸17に直交しているが、取付ばね23の幅の範囲内でのずれを含むものである。
【００１５】
放熱板24の両側の側板部28，29の上端側であって、電源部16の配置方向に対して反対側に、上方に向かって中心軸17に近付くように傾斜する傾斜部32が設けられている。
【００１６】
放熱板24には、電源部16の上面が光源部（後述する光源部40）よりも上方であり、電源部16の下面が灯具15の上面よりも下方に位置するように、灯具15に対する電源部16の回動範囲を規制する回動範囲規制部33が設けられている。本実施形態では、回動範囲規制部33は、第１の側板部28に設けられている。回動範囲規制部33は、灯具15に対して電源部16が上方に回動する回動範囲を電源部16の下面が灯具15の上面よりも下方に位置するように規制する上方回動規制部33aと、灯具15に対して電源部16が下方に回動する回動範囲を電源部16の上面が光源部（40）よりも上方に位置するように規制する下方回動規制部33bとを備えている。
【００１７】
上方回動規制部33aは、第１の側板部28に螺着されたねじ34によって構成されている。ねじ34の頭部が第１の側板部28の外面から突出されている。なお、上方回動規制部33aは、ねじ34に限らず、例えば第１の側板部28から突出するダボや第１の側板部28から切り起こした切起し部等でもよく、第１の側板部28の外面から突出されていればよい。
【００１８】
下方回動規制部33bは、第１の側板部28の上端側から側方に向けて突設される規制突部35を有している。下方回動規制部33bは、規制突部35の上縁によって構成されている。本実施形態では、規制突部35の上縁は、第１の側板部28の上縁から規制突部35の先端側へ向けて連続的に下降傾斜するように設けられている。なお、規制突部35は、第１の側板部28の上縁と連続的に設けられていなくてもよく、例えば、下方に回動する電源部16が第１の側板部28に当接しないが、規制突部35と当接して規制できるように、規制突部35の形状を任意に設けてもよい。また、下方回動規制部33bは、上方回動規制部33aと同様に、第１の側板部28に螺着されたねじによって構成してもよい。この場合、第１の側板部28に螺着された上方回動規制部33aのねじ34に対して、所定角度だけ離れた位置に下方回動規制部33bのねじを配置すればよい。
【００１９】
本体部20の本体カバー25は、放熱板24の両側の側板部28，29に交差する一側の開口であって電源部16の配置方向とは反対側の開口を覆うように配置され、放熱板24の光源取付部27にねじ36によって取り付けられている。本体カバー25の上部側には、灯具15の前方の開口を塞ぎ、放熱板24の両側の側板部28，29の傾斜部32に沿って傾斜するカバー面25aが設けられている。なお、カバー面25aは放熱板24の両側の側板部28，29と一体に構成してもよい。
【００２０】
本体部20の本体カバー26は、放熱板24の両側の側板部28，29に交差する他側の開口であって電源部16の配置方向の開口を覆うように配置され、放熱板24の光源取付部27にねじ37によって取り付けられている。
【００２１】
そして、本体部20は、放熱板24の両側の側板部28，29と本体カバー25，26とで中心軸17の周りの外周形状が四角形状に形成され、上部側で電源部16の配置方向に対して反対側に上方へ向けて中心軸17に近付くように傾斜する傾斜部38が設けられている。
【００２２】
また、光源ユニット21は、光源部40である発光モジュール41、この発光モジュール41を電気接続状態で保持するソケット42、発光モジュール41に対向配置されるレンズ43等を有している。
【００２３】
発光モジュール41は、例えば、基板に実装された半導体発光素子（ＬＥＤ）を蛍光体層で封止したＣＯＢ（Chip on Board）モジュールによって構成されている。蛍光体層の表面が発光部41aとなる。なお、発光モジュール41には、表面実装形ＬＥＤを用いたり、有機ＥＬ等を用いてもよい。
【００２４】
ソケット42は、絶縁性を有する材料で環状に形成されたソケット本体44、およびこのソケット本体44内に配置された一対の端子等を有している。ソケット本体44の上面側に発光モジュール41が嵌め込まれ、ソケット本体44の中央開口に発光モジュール41の発光部41aが臨んでいる。そして、ソケット42は、放熱板24の光源取付部27の下面に対して、発光モジュール41を介在し、複数のねじ45で締め付け固定されている。したがって、ソケット42によって発光モジュール41が放熱板24に押し付けられて熱的に接続されている。ソケット42の端子は、発光モジュール41に接触して電気的に接続されるとともに、電源部16からの内部配線が挿入されて電気的に接続される。
【００２５】
レンズ43は、透明なガラスや樹脂等によって形成されている。レンズ43は、発光モジュール41の発光部41aに対向配置され、発光部41aからの光を入射する光を所定の配光となるように制御する。
【００２６】
また、化粧枠22は、円板状に形成され、中央にはレンズ43が突出する窓孔48が形成されている。化粧枠22の上面には、窓孔48の周辺にレンズ43を嵌め込んで保持するレンズ保持部49が設けられている。そして、化粧枠22は、放熱板24の光源取付部27の下面側に配置され、光源取付部27の上面側から挿通する複数のねじが螺着され、放熱板24に締め付け固定されている。この化粧枠22の取付状態で、レンズ43が化粧枠22とソケット42の間に挟み込まれて保持される。
【００２７】
化粧枠22の上面には、電源部16の配置方向に対して交差する方向の２箇所であって、放熱板24の両側の側板部28，29の外側となる２箇所に、一対のばね取付部50が突設されている。一対のばね取付部50は、放熱板24の両側の側板部28，29の外側にそれぞれ配置されている。
【００２８】
化粧枠22の周辺部には、天井板11に当接するフランジ部51が設けられている。
【００２９】
また、一対の取付ばね23は、板ばねによって構成されている。一対の取付ばね23は、化粧枠22の一対のばね取付部50に取り付けられている。すなわち、取付ばね23の一端側が化粧枠22のばね取付部50に取り付けられ、他端側が弾性的に化粧枠22の側方に突出するように展開可能としている。
【００３０】
取付ばね23は、放熱板24の両側の側板部28，29に配置される連結軸部31に対して灯具15の軸方向に沿って並ぶ位置に配置されているが、取付ばね23が上方に回動されて灯具15に沿って折り畳まれた際に、連結軸部31と干渉しない位置関係にある（図６参照）。すなわち、連結軸部31は、灯具15に沿って折り畳まれる取付ばね23の先端側よりも灯具15の軸方向の上方側に配置されている。
【００３１】
次に、電源部16は、灯具15からの電源部16の配置方向を長手方向としている。電源部16は、電源回路60、電源ケース61、電源カバー62、端子台63、および端子台カバー64等を備えている。
【００３２】
電源回路60は、回路基板、およびこの回路基板に実装された複数の電子部品を有している。電源回路60は、予備電源装置から入力される例えば直流電源または交流電源等の外部電源を、発光モジュール41を点灯させるのに必要な所定の点灯電源に変換し、この点灯電源を発光モジュール41に供給する。電源部16と、発光モジュール41が電気的に接続されたソケット42とは、内部配線によって電気的に接続される。
【００３３】
また、電源ケース61は、電源部16の長手方向に沿って長く、上面側が開口された箱状に形成されている。電源ケース61内に電源回路60が収納配置されている。電源ケース61の一端側から突設された複数の爪部67が電源カバー62に引っ掛けて係止され、電源ケース61の他端側がねじ68で電源カバー62に固定されている。したがって、電源ケース61の上面開口が電源カバー62によって閉塞されている。
【００３４】
また、電源カバー62は、電源部16の長手方向に沿って長い天板部としてのカバー天板部71、このカバー天板部71の両側から下方に向けて折曲された第１のカバー側板部72および第２のカバー側板部73を有している。
【００３５】
カバー天板部71の一端側には、電源ケース61の複数の爪部67を引っ掛ける複数の引掛り部74が設けられている。さらに、カバー天板部71の一端側には、重なり部75が延設されている。この重なり部75は、灯具15に対する電源部16の回動範囲において、カバー面25aよりも上方側に位置し、かつカバー面25aの上端側の縁部よりも前方側に位置する。この重なり部75の下面には、電源部16の回動により灯具15の本体カバー25のカバー面25aに対して開閉される重なり面75aが設けられている。
【００３６】
カバー側板部72，73の一端側には、連結軸部31が挿通する回動孔76が形成されている。カバー側板部72，73は、電源ケース61の両側の外側に所定の間隙をあけて配置されている。そして、灯具15と電源部16との組立時に、電源ケース61の両側と電源カバー62の両側のカバー側板部72，73との間に放熱板24の側板部28，29の上端側が挿入され、連結軸部31がカバー側板部72，73の外側から回動孔76に挿通されて放熱板24の側板部28，29の取付孔30に取り付けられることにより、電源部16の一端側が灯具15に対して連結軸部31を中心に回動可能に連結されている。
【００３７】
一方の第１のカバー側板部72には、下方に突出する規制受部77が設けられている。規制受部77は、回動範囲規制部33の上方回動規制部33aの一部を構成するもので、電源部16の上方への回動時に放熱板24の第１の側板部28のねじ34に当接し、電源部16の上方への回動が規制される。また、カバー天板部71の下面は、回動範囲規制部33の下方回動規制部33bの一部を構成する規制受部78として構成されている。規制受部78は、電源部16の下方への回動時に放熱板24の第１の側板部28に設けられた規制突部35の上縁に当接し、電源部16の下方への回動が規制される。
【００３８】
カバー側板部72，73の他端側には、端子台63の両側を覆う覆い部79が設けられている。
【００３９】
また、端子台63は、端子台本体81、およびこの端子台本体81内に収納された端子を有している。
【００４０】
端子台本体81は、例えば樹脂等の絶縁材料によって四角形箱状に形成されている。端子台本体81の一面が予備電源装置からの電線を接続する接続面82、反対の他面が端子台カバー64に取り付けられる取付面83として構成されている。端子台本体81の接続面82には、電線が挿入される複数の電線挿入孔84が設けられている。電線挿入孔84には、電源入力用に２つ、送り配線用に２つの合計４つが含まれる。
【００４１】
また、端子台カバー64は、底板部87、この底板部87の上方に折曲された内側板部88および外側板部89を有し、断面略コ字形に形成されているとともに両側が開口されている。内側板部88と外側板部89との間に端子台63が配置され、内側板部88に端子台63が固定されている。内側板部88の上端には電源カバー62のカバー天板部71にねじ90で取り付けられる取付片部91が折曲形成されている。そして、端子台カバー64が電源カバー62に取り付けられた状態では、端子台カバー64の両側が電源カバー62の両側の覆い部79で覆われ、外側板部89の上端とカバー天板部71の他端部との間が開口され、この開口部分に端子台63の接続面82の電線挿入孔84が対向されている。
【００４２】
そして、端子台カバー64の底板部87と外側板部89とのなす角部は、照明装置10を天井板11に設置した際に天井板11の上面に載る載置部92として構成されている。
【００４３】
また、予備電源装置と照明装置10とを接続する電線は、例えば２ｍｍの単線の導線を耐火性のある被覆材で被覆した耐火ケーブルが用いられている。
【００４４】
次に、照明装置10の設置について説明する。
【００４５】
天井板11の埋込孔12から予備電源装置からの電線を引き出し、この電線の先端の被覆材を除去して導線を露出させ、この電線の先端を端子台63の電線挿入孔84に挿入して接続する。
【００４６】
電源部16の他端側（端子台63側）を上方に向け、電源部16の他端側を埋込孔12に下方から挿入する。
【００４７】
灯具15の側面（本体カバー26）が埋込孔12の縁の近くまたは当接するまで電源部16が埋込孔12に挿入されたら、電源部16の載置部92が下方に向くように、電源部16を天井板11の上方域に回動させる。さらに、電源部16とともに灯具15を回動させながら、灯具15の上部側を埋込孔12に挿入する。灯具15を回動させる際、灯具15の上部側で電源部16の配置方向に対して反対側に傾斜部38が設けられているため、回動する灯具15が埋込孔12の縁に引っ掛かることなく、埋込孔12に挿入できる。
【００４８】
さらに、灯具15を埋込孔12に挿入する際には、一対の取付ばね23を弾性に抗して灯具15の本体部20に沿って折り畳んだ状態に押え付けながら、一対の取付ばね23の先端側を埋込孔12に挿入する。
【００４９】
このとき、一対の取付ばね23は、放熱板24の両側の側板部28，29に配置される連結軸部31に対して灯具15の軸方向に沿って並ぶ位置に配置されているが、取付ばね23が上方に回動されて灯具15の本体部20に沿って折り畳まれた際に、連結軸部31と干渉しない位置関係にあるため、灯具15の本体部20に近付けて折り畳まれ、埋込孔12に挿入可能とする。
【００５０】
灯具15の本体部20および一対の取付ばね23の先端側を埋込孔12に挿入した後、一対の取付ばね23の押え付けを解除することにより、一対の取付ばね23がばね力によって側方に展開して天井板11の上側に係合し、灯具15を天井板11に対して引き上げる。
【００５１】
天井板11に対して引き上げられる灯具15の化粧枠22のフランジ部51が天井板11の下面に当接し、照明装置10の設置が完了する。
【００５２】
そして、天井板11に埋め込み設置された照明装置10では、一端側が灯具15に対して回動可能に連結されている電源部16の他端側が自重で下降し、電源部16の載置部92が天井板11の上面に載置される。したがって、照明装置10は、灯具15の一対の取付ばね23と電源部16の他端側の載置部92の３点で天井板11に支持されている。
【００５３】
ところで、電源部16が灯具15に固定されている場合には、取付ばね23のみによって照明装置10を天井板11に対して支持しなければならないため、３つ以上の取付ばね23を必要とするが、電源部16の一端側を灯具15に対して回動可能に連結することにより、電源部16の他端側が天井板11に載置されるため、２つの取付ばね23によって灯具15および電源部16の一端側を支持することが可能となり、構成の簡素化、部品点数の削減、および施工性を向上できる。
【００５４】
さらに、仮に連結軸部31が灯具15の後方に位置する場合には重心が後方にかかり灯具15が後方に傾きやすくなるが、本実施形態のように、連結軸部31が灯具15の中心軸17に略直交するように位置することにより、重心のバランスがとれ、灯具15の傾きを防止できる。
【００５５】
しかも、電源部16の質量は灯具15の質量よりも大きい関係にあるが、電源部16の他端側が自重で下降して天井板11の上面に載置され、電源部16の質量の一部を天井板11で受けるため、灯具15を天井板11に取り付ける取付機構を簡素化できる。
【００５６】
また、予備電源装置からの外部電源が電線を通じて照明装置10の電源回路60に供給されると、電源回路60が外部電源を所定の点灯電源に変換して発光モジュール41に供給する。点灯電源が供給された発光モジュール41が点灯し、その光がレンズ43を通じて照明空間に照射される。
【００５７】
点灯時に発光モジュール41が発生する熱は、放熱板24に伝達され、さらに、放熱板24から化粧枠22および本体カバー25，26等に伝達され、これらから空気中に放熱される。
【００５８】
そして、照明装置10では、回動範囲規制部33により、電源部16の上面が光源部40よりも上方であり、電源部16の下面が灯具15の上面よりも下方に位置するように、灯具15に対する電源部16の回動範囲を、未規制時の回動範囲よりも小さい回動範囲に規制している。
【００５９】
すなわち、図４に示すように、灯具15に対して電源部16が上方に回動する場合、電源部16の規制受部77が上方回動規制部33aであるねじ34に当接し、上方への回動が規制される。上方回動規制部33aが無い場合には、図４に示す電源部16の位置よりも上方である時計回り方向に大きく回動し、電源部16の下面が灯具15の上面よりも上方に回動してしまう。
【００６０】
一方、図５に示すように、灯具15に対して電源部16が下方に回動する場合、電源部16の規制受部78が下方回動規制部33bである灯具15側の規制突部35に当接し、下方への回動が規制される。下方回動規制部33bが無い場合には、図５に示す電源部16の位置よりも下方である反時計回り方向に大きく回動し、電源部16の上面が光源部（40）よりも下方に回動してしまう。
【００６１】
仮に、灯具15に対する電源部16の回動範囲が未規制であると、施工時において、灯具15または電源部16を持って照明装置10を取り扱う際、持っていない側の電源部16または灯具15が不用意に大きく回動したためにその勢いで照明装置10を落してしまったり、また、天井板11の埋込孔12に埋め込み設置する際に灯具15と電源部16とが大きく振れて操作しにくくなる。
【００６２】
本実施形態の照明装置10では、回動範囲規制部33により、電源部16の上面が光源部40よりも上方であり、電源部16の下面が灯具15の上面よりも下方に位置するように、灯具15に対する電源部16の回動範囲を未規制時の回動範囲よりも小さい回動範囲に規制しているため、施工時において、灯具15または電源部16を持って照明装置10を取り扱う際、持っていない側の電源部16または灯具15が不用意に大きく回動したためにその勢いで照明装置10を落してしまったり、また、天井板11の埋込孔12に埋め込み設置する際に灯具15と電源部16とが大きく振れて操作しにくくなるのを防止可能とする。
【００６３】
また、回動規制部33による電源部16の回動範囲の規制は、天井板11の厚み寸法の違いにも対応している。天井板11は、一般的に９ｍｍ〜２５ｍｍであることが多いため、とのような寸法でも、電源部16の他端側を天井板11上に載置することが可能な電源部16の回動範囲の規制に規制している。すなわち、下方回動規制部33bによる電源部16の下方への回動範囲の規制については、化粧枠22のフランジ部51の上面（天井板11の下面）と電源部16の載置部92との間の高さが、天井板11の最小厚み寸法よりも少し小さい程度が好ましい。天井板11の厚み寸法が９ｍｍ〜２５ｍｍである場合には、９ｍｍ以下とすることが好ましい。また、上方回動規制部33aによる電源部16の上方への回動範囲の規制については、化粧枠22のフランジ部51の上面（天井板11の下面）と電源部16の載置部92との間の高さが、天井板11の最大厚み寸法よりも大きいことが好ましい。天井板11の厚み寸法が９ｍｍ〜２５ｍｍである場合には、２５ｍｍ以上とすることが好ましい。
【００６４】
また、電源部16を灯具15に対して回動可能に連結しているため、指が挟まりやすい箇所が生じる。具体的には、カバー天板部71の一端側と灯具15の本体カバー25との間がある。そこで、カバー天板部71の一端側に、灯具15に対する電源部16の回動範囲において、カバー面25aよりも上方側に位置し、かつカバー面25aの上端側の縁部よりも前方側に位置する重なり部75を設けている。この構成により、灯具15に対する電源部16の回動範囲内であれば、重なり部75がカバー面25aの上端よりも前方にあるため、カバー天板部71とカバー面25aとの間に指を挟みにくい。
【００６５】
このように、本実施形態の照明装置10では、灯具15に対して電源部16の一端側を回動可能に連結しているが、回動範囲規制部33により、電源部16の上面が光源部40よりも上方であり、電源部16の下面が灯具15の上面よりも下方に位置するように、灯具15に対する電源部16の回動範囲を規制しているため、施工時において、灯具15または電源部16を持って照明装置10を取り扱う際、持っていない側の電源部16または灯具15が不用意に大きく回動したためにその勢いで照明装置10を落してしまったり、また、天井板11の埋込孔12に埋め込み設置する際に灯具15と電源部16とが大きく振れて操作しにくくなるのを防止でき、施工性を向上できる。
【００６６】
また、灯具15に対して電源部16の一端側を回動可能に連結する連結軸部31は、灯具15の中心軸17上に位置するため、電源部16を灯具15側に寄せるように配置でき、灯具15の中心軸17から電源部16の他端側までの長さを短くでき、小形化できるとともに、施工時に天井裏の高さが低い場合でも容易に施工することができる。
【００６７】
さらに、連結軸部31が灯具15の中心軸17に略直交するように位置するため、重心のバランスがとれ、灯具15の傾きを防止できる。
【００６８】
また、一対の取付ばね23は、放熱板24の両側の側板部28，29に配置される連結軸部31に対して灯具15の軸方向に沿って並ぶ位置に配置されているが、取付ばね23が上方に回動されて灯具15の本体部20に沿って折り畳まれた際に、連結軸部31と干渉しない位置関係にあるため、すなわち、連結軸部31は、灯具15に沿って折り畳まれる取付ばね23の先端側よりも灯具15の軸方向の上方側に配置されているため、一対の取付ばね23を灯具15の本体部20に近付けて折り畳むことができ、埋込孔12に容易に挿入することができる。
【００６９】
また、電源部16の質量は灯具15の質量よりも大きい関係にあるが、灯具15に対して電源部16の一端側を回動可能に連結しているため、天井板11に埋め込み設置することにより、電源部16の他端側が自重で下降して天井板11の上面に載置され、電源部16の質量の一部を天井板11で受けるため、灯具15を天井板11に取り付ける取付機構を簡素化できる。
【００７０】
また、電源部16は、カバー天板部71の一端側に、灯具15に対する電源部16の回動範囲において、カバー面25aよりも上方側に位置し、かつカバー面25aの上端側の縁部よりも前方側に位置する重なり部75を設けているため、カバー天板部71とカバー面25aとの間に指を挟みにくくできる。
【００７１】
また、端子台カバー64は、電源カバー62との間で端子台63を覆うことができ、天井板11上に載置される載置部92の機能を一体に備えることができる。
【００７２】
なお、本実施形態の照明装置10の構成は、非常用照明装置に限らず、一般照明用の照明装置にも適用できる。
【００７３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７４】
10    照明装置
15    灯具
16    電源部
17    中心軸
23    取付ばね
25a   カバー面
31    連結軸部
33    回動範囲規制部
40    光源部
71    天板部としてのカバー天板部
75    重なり部
【図１】
2020113401.tif 000003
【図２】
2020113401.tif 000004
【図３】
2020113401.tif 000005
【図４】
2020113401.tif 000006
【図５】
2020113401.tif 000007
【図６】
2020113401.tif 000008
【図７】
2020113401.tif 000009